(57)【要約】【課題】製作容易であり、実用性に優れた警報センサ１０を提供する。【解決手段】収納用の構造体である金庫２０の中空の各壁面内に充填する導電性の液体１２と、液体１２のレベル低下を検出する電極１３、１３とを設ける。【選択図】図２
2020155152.tif 000002
【特許請求の範囲】
【請求項１】
収納用の構造体に対する不正な攻撃検知用の警報センサであって、前記構造体の中空の各壁面内に充填する導電性の液体と、該液体のレベル低下を検出する電極とを備えることを特徴とする不正攻撃検知用の警報センサ。
【請求項２】
前記液体の漏れを検出する電極を前記構造体の床上に付設することを特徴とする請求項１記載の不正攻撃検知用の警報センサ。
【請求項３】
請求項１または請求項２記載の不正攻撃検知用の警報センサと、該警報センサの動作時に外部にメール送信する制御部とを備えてなる金庫。
【請求項４】
前記警報センサの動作時に収納中のメモリディスクを機械的に破壊する破壊部を付加することを特徴とする請求項３記載の金庫。
【発明の詳細な説明】
【技術分野】
【０００１】
この発明は、たとえば金庫などの収納用の構造体に不正な攻撃が加えられたことを適確に検知することができる不正攻撃検知用の警報センサと、それを使用する金庫に関する。
【背景技術】
【０００２】
物品を収納する構造体に不正な攻撃が加えられたことを検知し、それを外部に警報するために、各種のセンサが提案され、実用されている（たとえば特許文献１）。
【０００３】
これらのセンサの最もありふれた形態は、絶縁基板上において、電線を十分小さいピッチごとに折り返して配置してパネル状に形成し、構造体の各壁面に組み込むものである。壁面に対して不正に孔が明けられたりすると、絶縁基板上の電線が切断されるから、これを電気的に検出して不正な攻撃を検知することができる。なお、絶縁基板上の電線は、光ファイバに代えてもよい。
【０００４】
また、絶縁シートを挟んで２層の導電性の液体層を形成する形態も知られている。この形態のセンサを組み込んだ壁面に孔が明けられると、絶縁シートに生じる開孔を通じて２層の液体層が電気的に導通するから、これを検出して不正な攻撃を検知する。
【先行技術文献】
【特許文献】
【０００５】
【特許文献１】特開２００４−４６８６３号公報
【発明の概要】
【発明が解決しようとする課題】
【０００６】
かかる従来技術の前者によるときは、絶縁基板上の電線または光ファイバは、いわゆる一筆書きのパターンを形成する必要があるから、構造体の壁面の大きさに合わせて固有のパターンが必要であり、製作が煩雑になりがちであるという問題があった。また、後者によるときは、絶縁シートの両側に２層の液体層を形成する構成を工業的に実現すること自体必ずしも容易でなく、実用性が十分でないという問題があった。
【０００７】
そこで、この発明の目的は、かかる従来技術の問題に鑑み、単一の液体層を採用することによって、製作が容易であり、実用性に優れた不正攻撃検知用の警報センサと、それを使用する金庫を提供することにある。
【課題を解決するための手段】
【０００８】
かかる目的を達成するためのこの出願に係る第１発明（請求項１に係る発明をいう、以下同じ）の構成は、収納用の構造体に対する不正な攻撃検知用の警報センサであって、構造体の中空の各壁面内に充填する導電性の液体と、液体のレベル低下を検出する電極とを備えることをその要旨とする。
【０００９】
なお、液体の漏れを検出する電極を構造体の床上に付設することができる。
【００１０】
第２発明（請求項３に係る発明をいう、以下同じ）の構成は、第１発明に係る不正攻撃検知用の警報センサと、警報センサの動作時に外部にメール送信する制御部とを備えることをその要旨とする。
【００１１】
なお、警報センサの動作時に収納中のメモリディスクを機械的に破壊する破壊部を付加することができる。
【発明の効果】
【００１２】
かかる第１発明の構成によるときは、構造体の各壁面内に充填する導電性の液体は、外部からの不正な攻撃によって壁面に孔が明けられたり、壁面が破壊されたりすると、外部に漏れ出してレベルが低下する。そこで、レベル低下を検出する電極によりこれを電気的に検出して不正な攻撃を検知することができる。なお、ここでいう導電性の液体は、普通の水でもよく、さらに、任意の導電性のイオンを含有させてもよい。また、レベル低下検出用の電極は、正規のレベルの液体を介して電気的に導通する２個１組を設け、液体のレベル低下により一方または双方が液体外に出て双方の導通が断たれるように、その配置位置を選定する。液体層を２層に分離する必要がないため、全体構造が簡単で製作容易であり、実用性に優れている。
【００１３】
液体の漏れを検出する電極を構造体の床上に付設すれば、不正な攻撃により液体が床上に漏出すると、液体のレベル低下を検出するより一層速やかに不正な攻撃を検知することができる。
【００１４】
なお、第１発明において、収納用の構造体とは、内部に物品や人の収納用の空間を備える任意の構造体をいい、たとえば、金庫、収納庫、保管庫などの他、物品輸送用のコンテナや船体、トラックの荷箱、重要設備用の建造物、刑務所などにおける囚人の収容房などを含むものとする。
【００１５】
第２発明の構成によるときは、制御部は、不正攻撃検知用の警報センサの動作時に外部にメール送信し、金庫に対する不正な攻撃の事実を外部に警報報知することができる。なお、メール送信は、有線、無線、インターネットなどのいずれの回線によってもよい。また、金庫の使用者と管理者とが別人の場合、使用者による正規の使用状態の有無、誤使用の有無などの詳細情報を併せて管理者にメール送信するようにしてもよい。
【００１６】
メモリディスクの破壊部を付加すれば、不正な攻撃を受けた際に破壊部を作動させて収納中のメモリディスクを機械的に破壊することができ、不正な攻撃によってメモリディスクが奪取されるような事態を有効に阻止することができる。なお、破壊部は、たとえばワイヤカッタやヒータ線、レーザカッタ、水圧カッタなどによりメモリディスクを機械的に破断して破壊することができる。ただし、ここでいうメモリディスクとは、たとえばＣＶＤ、ＤＶＤ、ブルーレイディスクのようなプラスチックディスクメモリを指すものとする。
【図面の簡単な説明】
【００１７】
【図１】全体構成模式説明図（１）
【図２】全体構成模式説明図（２）
【図３】全体構成斜視図（１）
【図４】ブロック系統図
【図５】要部構成説明図（１）
【図６】要部構成説明図（２）
【図７】プログラムフローチャート
【図８】全体構成斜視図（２）
【発明を実施するための形態】
【００１８】
以下、図面を以って発明の実施の形態を説明する。
【００１９】
不正攻撃検知用の警報センサ１０は、２枚１組の導電性のメッシュ材１１、１１を備えてなる（図１）。なお、図１において、警報センサ１０は、金庫２０の外板２１、内板２２からなる２重構造の各壁面に共通に内装されている。ただし、図１（Ａ）、（Ｂ）は、それぞれ金庫２０の模式縦断面図、一部破断模式斜視図であり、図１（Ｃ）は、ドリルＤによる不正な攻撃時におけるメッシュ材１１、１１の要部模式動作断面図である。
【００２０】
図１において、２枚のメッシュ材１１、１１は、図示しない絶縁シートを挟んで互いに絶縁され、全体として２重に配置されている。なお、金庫２０の各壁面は、図示に拘らず、外板２１、内板２２の間に実質的な空間を残すことなく、警報センサ１０を内部に装着しているものとする。また、警報センサ１０は、図１に拘らず、金庫２０の各壁面ごとに分割し、各壁面における内側、外側のメッシュ材１１、１１をすべての壁面についてそれぞれ電気的に接続してもよい。
【００２１】
警報センサ１０は、金庫２０の任意の壁面に対し、たとえばドリルＤにより孔を明けるような不正な攻撃が外部から加えられると（図１（Ｃ））、メッシュ材１１、１１が接触して電気的に導通する。そこで、これを検出して不正な攻撃の事実を検知することができる。なお、メッシュ材１１、１１の電気的な導通は、図１（Ｃ）のように、一方のメッシュ材１１が他方のメッシュ材１１側に変形して接触するのみならず、メッシュ材１１、１１を貫通するドリルＤを介して両者が電気的に導通することもある。また、メッシュ材１１、１１による警報センサ１０は、ドリルＤ以外の工具による破壊工作に対しても、十分有効に動作することができる。
【他の実施の形態】
【００２２】
警報センサ１０は、金庫２０の中空の各壁面を構成する外板２１、内板２２の間に導電性の液体１２を充填するとともに、レベル検出用の電極１３、１３を配設して構成することができる（図２（Ａ）、（Ｃ））。ただし、図２（Ａ）、（Ｂ）は、それぞれ金庫２０の模式縦断面図、模式縦断面拡大構成図であり、図２（Ｃ）、（Ｄ）は、それぞれ模式動作図、要部拡大模式動作図であり、図２（Ｅ）は、図２（Ｄ）相当の比較説明図である。
【００２３】
金庫２０の外板２１、内板２２の間は、クランク状に屈曲するスペーサ２３、２３…を介し、液体１２を充填可能な中空状に構成されている（図２（Ｂ））。また、電極１３、１３は、外板２１の天面に対し、下向きに固定されている（図２（Ｃ））。そこで、電極１３、１３の双方が沈むように、外板２１、内板２２の間に液体１２を満杯に充填すると（図２（Ａ））、電極１３、１３は、液体１２を介して電気的に導通する。
【００２４】
一方、金庫２０の外部からたとえばドリルＤによる不正な攻撃があって壁面に孔が明けられると（図２（Ｃ））、液体１２による内外の漏れ１２ａ、１２ａを生じ、液体１２のレベルが低下して電極１３、１３が液体１２の上方に露出し、電極１３、１３間の導通が断たれるから、これを電気的に検出して不正な攻撃を検知することができる。なお、このとき、ドリルＤの刃先がたまたまスペーサ２３の位置に当ったとしても、スペーサ２３が屈曲しているため（図２（Ｂ）、（Ｄ））、液体１２の漏れ１２ａが必ず発生し、不正な攻撃を確実に検知することができる。これに対し、スペーサ２３が直線状であると（図２（Ｅ））、ドリルＤがスペーサ２３を貫通して液体１２の漏れ１２ａを生じないことがあり、不正な攻撃を検知できないおそれがある。
【００２５】
なお、金庫２０の内部の床上には、液体１２の室内側への漏れ１２ａを検出する電極１４を配設してもよい（図２（Ｃ））。電極１４は、電極１３、１３による液体１２のレベル低下の検出に先き立って液体１２の漏れ１２ａを検出し、不正な攻撃を一層速やかに検知することができる。
【００２６】
図１または図２の警報センサ１０を組み込む金庫２０は、外扉２４、内扉２５を備えている（図３）。
【００２７】
外扉２４には、図示しない鍵付きのダイヤル錠が付設され、内扉２５には、暗証番号入力用のキー２５ａが搭載されている。また、内扉２５の上方には、カメラ２６が配置され、金庫２０には、制御部３０が組み込まれている。
【００２８】
制御部３０は、警報センサ１０、キー２５ａを接続するマイクロコンピュータ３１を備えている（図４）。
【００２９】
マイクロコンピュータ３１は、商用電源ＡＣから基板電源３２を介して給電されており、基板電源３２の出力側には、バックアップ用のバッテリＢＴが接続されている。また、マイクロコンピュータ３１は、ワイファイ端子３３ａ、ブルーレイ端子３３ｂ、ＵＳＢ端子３３ｃ、ＬＡＮ端子３３ｄのいずれかを介し、有線または無線により、外部のインターネット回線、電話回線、携帯電話回線などの通信回線と双方向に通信可能である。さらに、マイクロコンピュータ３１には、キー２５ａなどの操作指示用の表示器２５ｂ、内扉２５を解錠制御するソレノイド２５ｃ、内扉２５の開閉を検出するドアセンサ２５ｄの他、カメラ２６が接続され、金庫２０内のメモリディスクを機械的に破壊する破壊部４０が接続されている。なお、破壊部４０は、商用電源ＡＣから給電する他、図示しないバックアップ用のバッテリからも給電されている。
【００３０】
破壊部４０は、たとえばヒータ線４１を介し、金庫２０内に一列に整列して収納されている複数枚のメモリディスクＭ、Ｍ…を一挙に破壊することができる（図５（Ａ）、（Ｂ））。すなわち、ヒータ線４１は、適切な可動サポート４１ａ、４１ａを介して直線状に張られて保持されており（図５（Ａ））、これを通電加熱してメモリディスクＭ、Ｍ…の径方向に進行させることにより（図５（Ｂ）の矢印方向）、メモリディスクＭ、Ｍ…を一挙に径方向に溶断して破壊することができる。
【００３１】
また、破壊部４０は、スプロケット４２ａ、４２ａに巻き掛けるワイヤカッタ４２であってもよい（図６（Ａ））。スプロケット４２ａ、４２ａを介してワイヤカッタ４２を回転駆動するとともに、メモリディスクＭ、Ｍ…の径方向に進行させることにより（図６（Ｂ）の矢印方向）、メモリディスクＭ、Ｍ…を一挙に径方向に切断して破壊することができる。なお、破壊部４０は、図５、図６以外の形式であってもよい。
【００３２】
図４の制御部３０の動作は、たとえば図７のプログラムフローチャートのとおりである。ただし、図７のプログラムは、ダイヤル錠を解錠して金庫２０の外扉２４を開き、内扉２５を開くためにキー２５ａを操作したときに加えて、金庫２０に対する不正な攻撃が実行されて警報センサ１０が動作したときに作動を開始するものとする。
【００３３】
プログラムは、まず、警報センサ１０が動作したことにより起動した場合でないことを確認すると（図７のプログラムステップ（１）、以下、単に（１）のように記す）、キー２５ａが操作されたことを確認した上（２）、キー２５ａを介して入力された暗証番号の正否を確認する（３）。暗証番号が正しければ（３）、ソレノイド２５ｃを駆動して内扉２５を解錠するとともにドアセンサ２５ｄを介して内扉２５の開放を確認し（４）、以上の動作内容情報を日付、時刻情報とともにセットして記憶し（５）、一連の動作内容情報を所定の連絡先にメール送信して通報する（６）。なお、以上の動作は、たとえば金庫２０の正規の使用者が正規の暗証番号を入力して金庫２０の内部を正規に利用する場合に相当し、その事実は、プログラムステップ（６）のメールを介し、管理者宛てに通知される。ただし、プログラムステップ（６）において発信されるメールには、カメラ２６によって撮影された使用者の顔写真などの動画または静止画の撮影データを添付することができる。
【００３４】
次に、プログラムステップ（３）において、入力された暗証番号が不正であった場合は、表示器２５ｂにその旨を表示して暗証番号の再入力を指示するとともに、暗証番号の誤入力回数が設定許容回数以内であることを確認して（７）、暗証番号の誤りにより金庫２０を開くことができなかった旨の情報を日付、時刻情報とともにセットして記憶し（８）、その事実を管理者宛てにメール送信する（６）。なお、このときも、カメラ２６による使用者の撮影データをメールに添付することができる。
【００３５】
金庫２０に対する不正な攻撃により警報センサ１０が動作した場合（１）、プログラムは、破壊部４０を起動して金庫２０に収納されているメモリディスクＭ、Ｍ…を破壊するとともに（９）、その旨の情報を日付、時刻情報とともにセットして記憶し（１０）、その事実を管理者宛てにメール送信して通報する（６）。なお、プログラムステップ（７）において、暗証番号の誤入力回数が設定許容回数を超えたことが検出された場合も全く同様である（（７）、（９）、（１０））。
【００３６】
図３〜図７において、金庫２０の外扉２４の開閉を検出するドアセンサを設けてマイクロコンピュータ３１に接続すれば、外扉２４の開放によってカメラ２６を作動させることにより、外扉２４を開けた人物の顔写真を確実に撮影することができる上、たとえば鍵を使用せずに外扉２４が不正に開けられたことを検出して、内扉２５が開けられる前に破壊部４０を作動させることも可能である。ただし、後者を実現するには、鍵付きのダイヤル錠の正規の使用により外扉２４を電気的に開放させるために、外扉２４用のソレノイドを追加するものとする。なお、破壊部４０は、メモリディスクＭ、Ｍ…を金庫２０に収納する予定がないときは、これを省略することができる。また、金庫２０の不正な持去りを検出するために、いわゆる持上げセンサを付加してもよい。制御部３０は、持上げセンサの動作により、警報センサ１０の動作時と同様に対処することができる。
【００３７】
金庫２０の内部は、内扉２５付きの複数の小室に区分してもよい（図８）。各小室の内扉２５、２５…には、それぞれ開閉検出用のドアセンサ２５ｄが装着されており、金庫２０の使用者は、あらかじめ指定の単一または複数の特定の小室のみの利用が許容されており、その他の利用が禁止されている。そこで、使用者が利用可能な小室を正規に利用する限り、管理者宛てのメール送信を省略し、利用を許容されない小室の内扉２５を開いたときに限り管理者宛てにメール送信するようにすれば、管理者に到達するメールの件数を削減して管理し易くすることができる。
【００３８】
以上の説明において、金庫２０の使用者、管理者は、たとえば企業や団体などの担当者と、その上司としてもよいし、一般家庭において、高齢の父母と、別に暮らす単一または複数の子供として、いわゆる振込詐欺などの被害防止対策としてもよい。そこで、図７のプログラムステップ（６）のメールの宛先は、必要に応じて、単一であってもよく、複数であってもよい。
【００３９】
なお、金庫２０は、物品や人の収納用の空間を備える任意の構造体とすることができる。
【産業上の利用可能性】
【００４０】
この発明は、金庫２０の他、任意の構造体を対象とする不正な攻撃を検知する用途に対し、広く好適に適用することができる。
【符号の説明】
【００４１】
Ｍ…メモリディスク
１０…警報センサ
１２…液体
１２ａ…漏れ
１３、１４…電極
２０…金庫
３０…制御部
４０…破壊部
特許出願人      株式会社  リニア・サーキット
【図１】
2020155152.tif 000003
【図２】
2020155152.tif 000004
【図３】
2020155152.tif 000005
【図４】
2020155152.tif 000006
【図５】
2020155152.tif 000007
【図６】
2020155152.tif 000008
【図７】
2020155152.tif 000009
【図８】
2020155152.tif 000010